(57)【要約】  太陽電池セル（１０１）においては、シリコン基板（１）の受光面に、平行に形成された複数のグリッド電極（２）と、このグリッド電極（２）にほぼ直交する直線上に延びて形成されてタブ線（５）と接合するバスバー電極（３）とを有し、シリコン基板（１）の裏面に、タブ線（８）と接合する銀電極（７）を有する。銀電極（７）は、バスバー電極（３）とシリコン基板（１）を挟んで対向する直線上に所定の間隔を空けてドット状に形成されている。バスバー電極（３）は、シリコン基板（１）を挟んで銀電極（７）に対向する箇所が欠落したように、断続的に形成されている。バスバー電極（３）と銀電極（７）とがシリコン基板（１）を挟んで重なることがないので応力の集中を緩和することができる。
2010125679.tif 000002
【特許請求の範囲】
【請求項１】
半導体基板の受光面に、平行に形成された複数のグリッド電極と、該グリッド電極にほぼ直交する第１の直線上に延びて形成されて受光面リード線と接合する受光面リード接合電極とを有し、前記半導体基板の裏面に、裏面リード線と接合する裏面リード接合電極を有する太陽電池セルにおいて、
前記裏面リード接合電極は、前記第１の直線と前記半導体基板を挟んで概略対向する第２の直線上に所定の間隔を空けてドット状に形成され、
前記受光面リード接合電極は、前記半導体基板を挟んで前記裏面リード接合電極に対向する箇所が欠落したように、第１の直線上に断続的に形成されている
ことを特徴とする太陽電池セル。
【請求項２】
隣接する前記受光面リード接合電極間に、前記欠落した箇所を迂回して形成され、該欠落した箇所に延びる前記グリッド電極と前記受光面リード接合電極とを接続する迂回路部を備えた
ことを特徴とする請求項１に記載の太陽電池セル。
【請求項３】
前記グリッド電極にほぼ直交して形成され、複数の前記グリッド電極間を接続する第２のグリッド電極が設けられている
ことを特徴とする請求項１に記載の太陽電池セル。
【請求項４】
半導体基板の受光面に、平行に形成された複数のグリッド電極と、該グリッド電極にほぼ直交する第１の直線上に延びて形成されて受光面リード線と接合する受光面リード接合電極とを有し、前記半導体基板の裏面に、裏面リード線と接合する裏面リード接合電極を有する太陽電池セルにおいて、
前記裏面リード接合電極は、前記第１の直線と前記半導体基板を挟んで概略対向する第２の直線上に所定の間隔を空けてドット状に形成され、
前記受光面リード接合電極の前記裏面リード接合電極に対向する箇所の幅は、前記裏面リード接合電極に対向しない箇所の幅よりも大きく、かつ前記受光面リード線の幅よりも大きい
ことを特徴とする太陽電池セル。
【請求項５】
前記受光面リード接合電極の前記裏面リード接合電極に対向する箇所の前記受光面リード接合電極の延在方向の長さは、前記裏面リード接合電極の前記受光面リード接合電極の延在方向の長さよりも大きい
ことを特徴とする請求項４に記載の太陽電池セル。
【発明の詳細な説明】
【技術分野】
【０００１】
本発明は、電極に接合して電気出力を取り出すリード線を備え、このリード線を接合した後のセル割れを低減することができる太陽電池セルに関するものである。
【背景技術】
【０００２】
太陽電池セルには、電気出力を取り出す目的で平角銅線でなるリード線が接合される。このリード線は、接合直後の高温状態から常温に冷却されるさいに収縮する。このリード線の収縮は、基板に反りを発生させたり局所的な変形を発生させたりして、太陽電池セルの割れの原因となる。【０００３】
太陽電池セルの基板の受光面（おもて面）には、リード線を接合する目的で、直線上に延びるリード接合電極が形成されている。一方、基板の裏面には、同じくリード線を接合する目的で、リード接合電極が所定の間隔を空けてドット状に（飛び石的に）形成されている。そして、基板の裏面のドット状のリード接合電極以外の部分は全面的にアルミニウム電極となっている。【０００４】
従来、太陽電池セルの反りを緩和するために、基板の裏面にリード接合電極が無い位置の受光面に、同じようにリード接合電極を設けないようにする提案がされている。このような構造の太陽電池セルにおいては、受光面側のリード接合電極が無い部分において基板に反りが発生するが、この反りは基板裏面側のアルミニウム電極の剛性により緩和される（例えば、特許文献１参照）。
【先行技術文献】
【特許文献】
【０００５】
【特許文献１】特許第４１７４５４５号公報
【発明の概要】
【発明が解決しようとする課題】
【０００６】
しかしながら、上記特許文献１の構造は、太陽電池セルの反りを緩和するためには、ある程度効果を有するが、以下に説明するような応力集中による局所的な変形を原因とするセル割れに対しては十分な効果を有するものではなかった。【０００７】
一般に平角銅線でなるリード線が銀製のリード接合電極に接合された場合、リード線(銅)の方がリード接合電極(銀)より収縮率が大きいため、リード線が太陽電池セル表面に形成されたリード接合電極を縮めるように応力を作用させる。このリード線がリード接合電極を縮めるようにして働く応力は、裏面のリード線により裏面のリード接合電極にも同じように発生する。そして、受光面側のリード接合電極から基板にかかる応力と、裏面側のリード接合電極から基板にかかる応力とが、基板を挟んで同じ位置に作用すると応力が集中しセル割れの原因となる。これに対して、上記特許文献１の構造は、受光面側のリード接合電極と裏面側のリード接合電極とが基板を挟んで重なる部分が存在するので、この部分において応力集中が発生してしまう。このようなことから、この応力の集中に対して有効な改善策が望まれていた。【０００８】
一方、近年以下のような場所にも応力集中が起こることが発明者等の実験等により確認された。すなわち、万一リード線が幅方向にずれて接合され、リード接合電極からリード線が飛び出てしまったとき、リード接合電極の縁部で局所的に大きな応力が発生することが解明された。そのため、このようにして発生する応力の集中に対しても有効な改善策が望まれていた。【０００９】
本発明は、上記に鑑みてなされたものであって、太陽電池セルのリード接合電極から基板にかかる応力の集中を効果的に緩和し、局所的な過大変形を防止することでセル割れの発生を削減することができる太陽電池セルを得ることを目的とする。
【課題を解決するための手段】
【００１０】
上述した課題を解決し、目的を達成するために、この発明の第１の発明の太陽電池セルは、半導体基板の受光面に、平行に形成された複数のグリッド電極と、このグリッド電極にほぼ直交する第１の直線上に延びて形成されて受光面リード線と接合する受光面リード接合電極とを有し、半導体基板の裏面に、裏面リード線と接合する裏面リード接合電極を有する太陽電池セルにおいて、裏面リード接合電極は、第１の直線と半導体基板を挟んで概略対向する第２の直線上に所定の間隔を空けてドット状に形成され、受光面リード接合電極は、半導体基板を挟んで裏面リード接合電極に対向する箇所が欠落したように、第１の直線上に断続的に形成されていることを特徴とする。【００１１】
また、この発明の第２の発明の太陽電池セルは、半導体基板の受光面に、平行に形成された複数のグリッド電極と、このグリッド電極にほぼ直交する第１の直線上に延びて形成されて受光面リード線と接合する受光面リード接合電極とを有し、半導体基板の裏面に、裏面リード線と接合する裏面リード接合電極を有する太陽電池セルにおいて、裏面リード接合電極は、第１の直線と半導体基板を挟んで概略対向する第２の直線上に所定の間隔を空けてドット状に形成され、受光面リード接合電極の裏面リード接合電極に対向する箇所の幅は、裏面リード接合電極に対向しない箇所の幅よりも大きいことを特徴とする。
【発明の効果】
【００１２】
この発明の第１の発明の太陽電池セルによれば、裏面リード接合電極は、第１の直線と半導体基板を挟んで概略対向する第２の直線上に所定の間隔を空けてドット状に形成され、受光面リード接合電極は、半導体基板を挟んで裏面リード接合電極に対向する箇所が欠落したように、第１の直線上に断続的に形成されているので、受光面リード接合電極と裏面リード接合電極とが重なった場合に発生する応力の集中を緩和することができ、また、受光面リード線が受光面リード接合電極からはみ出したときにその縁部で発生する応力と、裏面リード接合電極が裏面リード線からはみ出したときにその縁部で発生する応力とが重なることがなく、リード接合電極からリード線がはみ出したときに発生する応力に対して、応力の集中を緩和することができるので、局所的な過大変形を緩和することでセル割れの発生を削減することができるという効果を奏する。【００１３】
また、この発明の第２の発明の太陽電池セルによれば、裏面リード接合電極は、第１の直線と半導体基板を挟んで概略対向する第２の直線上に所定の間隔を空けてドット状に形成され、受光面リード接合電極の裏面リード接合電極に対向する箇所の幅は、裏面リード接合電極に対向しない箇所の幅よりも大きく、かつ受光面リード線幅よりも大きいので、受光面リード線が受光面リード接合電極からはみ出すことがなく、裏面リード線が裏面リード接合電極からはみ出したときにその縁部で発生する応力が重なることがなく、リード接合電極からリード線がはみ出したときに発生する応力に対して、応力の集中を緩和することができるので、局所的な過大変形を緩和することでセル割れの発生を削減することができるという効果を奏するとともに、受光面リード接合電極の裏面リード接合電極に対向する箇所の幅のみを、裏面リード接合電極に対向しない箇所の幅よりも大きくして、受光面リード接合電極の全体に渡って幅を大きくするものでは、ないのでコストの向上を抑制することができるという効果を奏する。
【図面の簡単な説明】
【００１４】
【図１】図１は、本発明の実施の形態１に係る太陽電池セルの受光面側の平面図である。
【図２】図２は、図１の裏面図である。
【図３】図３は、図２のＡ−Ａ断面図である。
【図４】図４は、受光面リード接合電極に重ねて受光面リード線が接合された様子を示す平面図である。
【図５】図５は、裏面リード接合電極に重ねて裏面リード線が接合された様子を示す裏面図である。
【図６】図６は、複数の太陽電池セルの受光面及び裏面がリード線により接続された様子を示す斜視図である。
【図７】図７は、図１のＢ部分を拡大して示す拡大図である。
【図８】図８は、受光面リード接合電極の欠落した部分に延びるグリッド電極の接続に関して、第２のグリッド電極を設ける例を説明するための図７に対応する拡大図である。
【図９】図９は、本発明の実施の形態２に係る太陽電池セルの受光面側の平面図である。
【図１０】図１０は、図９の裏面図である。
【図１１】図１１は、図９のＣ部分を拡大して示す拡大図である。
【発明を実施するための形態】
【００１５】
以下に、本発明にかかる太陽電池セルの実施の形態を図面に基づいて詳細に説明する。なお、以下の実施の形態においては、一例として、半導体基板をシリコン基板、受光面リード接合電極をバスバー電極、リード線をタブ線、裏面リード接合電極を銀電極として説明する。この実施の形態によりこの発明が限定されるものではない。
【００１６】
実施の形態１．
図１は、本発明の実施の形態１に係る太陽電池セルの受光面側の平面図である。図２は、図１の裏面図である。図３は、図２のＡ−Ａ断面図である。図４は、受光面リード接合電極に重ねて受光面リード線が接合された様子を示す平面図である。図５は、裏面リード接合電極に重ねて裏面リード線が接合された様子を示す裏面図である。図６は、複数の太陽電池セルが受光面リード線及び裏面リード線により接続された様子を示す斜視図である。図７は、図１のＢ部分を拡大して示す拡大図である。
【００１７】
本実施の形態の太陽電池セル１０１においては、シリコン基板（半導体基板）１の受光面側には、受光面積を極力確保しながらセル全面より集電する複数の細いグリッド電極２が、半導体基板１のほぼ全幅に渡ってほぼ平行に配設されている。そして、このグリッド電極２にほぼ直交して、２本のバスバー電極（受光面リード接合電極）３が半導体基板１のほぼ全長に渡って直線（第１の直線）上に設けられている。そしてさらに、図４に示すように、このバスバー電極３の上面のほぼ全長に渡って、受光面タブ線（受光面リード線）５が接合されている（図１においては、受光面タブ線５が重なる領域を一点鎖線にて示している）。受光面側タブ線５の幅は、バスバー電極３と同じか或いは若干小さい。この受光面タブ線５は、シリコン基板１どうしを直列に接続するために、セル面よりも外側に突出する延長部５ａを有している。受光面タブ線５は、太陽電池用リード線として一般的に使用される平角銅線である。
【００１８】
一方、シリコン基板１の裏面側には、ドット状の銀電極（裏面リード接合電極）７が２列にそれぞれ一定の間隔を空けながら複数個設けられている。２列にならぶ銀電極７は、それぞれバスバー電極３に対向する直線（第２の直線）上に一定の間隔を置いて飛び石状に設けられている。図５に示すように、この銀電極７の上面には、列のほぼ全長に渡って、裏面タブ線（裏面リード線）８が接合されている（図２においては、裏面タブ線８が重なる領域を一点鎖線にて示している）。裏面タブ線８の幅は、銀電極７の幅よりも小さい。裏面タブ線８もまた、太陽電池用リード線として一般的に使用される平角銅線である。なお、本実施の形態においては、受光面タブ線５と裏面タブ線８は別部材となっているが、連続する１本のタブ線（リード線）となっていてもよい。
【００１９】
図６に示すように、併設された複数のシリコン基板１は、受光面側から隣接するシリコン基板１の裏面側に潜り込む受光面タブ線５の延長部５ａを、隣接するシリコン基板１の裏面タブ線８と順次電気的に接続されて直列に接続されている。なお、図６においては、受光面タブ線５と裏面タブ線８の接続箇所が見えるように、半導体基板１の裏面を上した斜視図としている。
【００２０】
そして本実施の形態の太陽電池セル１０１においては、図１及び図３に示すように、バスバー電極３は、シリコン基板１の裏面側に銀電極７がある位置の部分が欠落したように断続的に形成されている。つまり、本実施の形態の太陽電池セル１０１においては、シリコン基板１を挟んで対向する位置にバスバー電極３と銀電極７とが存在しないようにしている。なお、このバスバー電極３と銀電極７の存在する位置を良く示すように、図１乃至図３においては、バスバー電極３と銀電極７とを黒く塗りつぶして表現している。
【００２１】
図７に示すように、バスバー電極３の欠落した部分に延びるグリッド電極２をバスバー電極３に接続するために、隣接するバスバー電極３間に迂回路部３ａが設けられている。迂回路部３ａは、グリッド電極２と同じ細い線路により成り欠落した箇所を迂回して形成され、バスバー電極３の欠落部に対向する端部とグリッド電極２とを接続する。
【００２２】
なお、バスバー電極３の欠落した部分に延びるグリッド電極２の接続に関しては、図８に示すように、第２のグリッド電極２Ｂを設けてもよい。第２のグリッド電極２Ｂは、グリッド電極２に直交して形成され、複数のグリッド電極２間を接続する。
【００２３】
以上のように、本実施の形態の太陽電池セル１０１は、シリコン基板１の受光面に平行に形成された複数のグリッド電極２とこのグリッド電極２に直交する第１の直線上に延びて形成され受光面タブ線５と接合するバスバー電極３とを有し、シリコン基板１の裏面に裏面タブ線８と接合する銀電極７を有する太陽電池セルである。そして、銀電極７は、第１の直線とシリコン基板１を挟んで対向する第２の直線上に所定の間隔を空けてドット状に形成され、バスバー電極３は、シリコン基板１を挟んで銀電極７に対向する箇所が欠落したように、第１の直線上に断続的に形成されている。これにより、バスバー電極３と銀電極７とがシリコン基板１を挟んで重なる箇所が無くなるので、課題であったバスバー電極３と銀電極７とが重なった場合に発生する応力の集中を緩和することができる。また、万一受光面タブ線５がバスバー電極３からはみ出したときにその縁部で発生する応力と、同じく裏面タブ線８が銀電極７からはみ出したときにその縁部で発生する応力とが重なることがなく、応力の集中を緩和することができるので、局所的な過大変形を緩和することでセル割れの発生を削減することができる。
【００２４】
実施の形態２．
図９は、本発明の実施の形態２に係る太陽電池セルの受光面側の平面図である。図１０は、図９の裏面図である。図１１は、図９のＣ部分を拡大して示す拡大図である。本実施の形態の太陽電池セル１０２においては、４本のバスバー電極（受光面リード接合電極）１３がシリコン基板のほぼ全長に渡って直線（第１の直線）上に設けられている。このバスバー電極１３の上面のほぼ全長に渡って、実施の形態１と同じように、図示しない受光面タブ線５が接合される。
【００２５】
シリコン基板の裏面側には、ドット状の銀電極（裏面リード接合電極）７が４列に一定の間隔を置いて複数個設けられている。４列にならぶ銀電極７は、それぞれバスバー電極１３に対向する直線（第２の直線）上に一定の間隔を置いて飛び石状に設けられている。この銀電極７の上面には、実施の形態１と同様に、列のほぼ全長に渡って、図示しない裏面タブ線８が接合される。
【００２６】
そして、本実施の形態の太陽電池セル１０２においては、バスバー電極１３の銀電極７に対向する箇所の幅１３ｂは、銀電極７に対向しない箇所１３ａの幅よりも大きく、かつ受光面リード線５の幅よりも大きい。そのため、バスバー電極１３の幅方向縁部と銀電極７の幅方向縁部とを一致しないようにすることができる。これにより、受光面タブ線５がバスバー電極１３からはみ出すことがなく、銀電極７が裏面タブ線８からはみ出したときにその縁部で発生する応力と重なることがなく、接合電極がタブ線からはみ出したときに発生する応力に対して、応力の集中を緩和することができるので、局所的な過大変形を緩和することでセル割れの発生を削減することができる。さらに、バスバー電極１３の銀電極７に対向する箇所１３ｂの幅のみを、銀電極７に対向しない箇所１３ａの幅よりも大きくして、バスバー電極１３の全体に渡って幅を大きくするものではないので、材料が極端に増加することがなくコストの向上を抑制することができる。
【００２７】
そしてさらに、バスバー電極１３の銀電極７に対向する箇所１３ｂのバスバー電極１３の延在方向の長さは、銀電極７のバスバー電極１３の延在方向の長さよりも大きい。そのため、長さ方向にも縁部が重なることがなく、さらに長さ方向に関して、上記と同様な効果を得ることができる。
【産業上の利用可能性】
【００２８】
以上のように、本発明にかかる太陽電池セルは、受光面にグリッド電極と受光面リード接合電極とを有し、裏面リード接合電極を有する太陽電池セルに適用されて好適なものであり、特に裏面リード接合電極が所定の間隔を空けてドット状に形成された太陽電池セルに適用されて最適なものである。
【符号の説明】
【００２９】
１  シリコン基板（半導体基板）
２  グリッド電極
２Ｂ  第２のグリッド電極
３，１３  バスバー電極（受光面リード接合電極）
３ａ  迂回路部
５  受光面タブ線（受光面リード線）
５ａ  延長部
７  銀電極（裏面リード接合電極）
８  裏面タブ線（裏面リード線）
１３ａ  バスバー電極の銀電極に対向しない箇所
１３ｂ  バスバー電極の銀電極に対向する箇所
１０１，１０２  太陽電池セル
【図１】
2010125679.tif 000003
【図２】
2010125679.tif 000004
【図３】
2010125679.tif 000005
【図４】
2010125679.tif 000006
【図５】
2010125679.tif 000007
【図６】
2010125679.tif 000008
【図７】
2010125679.tif 000009
【図８】
2010125679.tif 000010
【図９】
2010125679.tif 000011
【図１０】
2010125679.tif 000012
【図１１】
2010125679.tif 000013
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
半導体基板の受光面に、平行に形成された複数のグリッド電極と、該グリッド電極にほぼ直交する第１の直線上に延びて形成されて受光面リード線と接合する受光面リード接合電極とを有し、
前記半導体基板の裏面に、前記第１の直線と前記半導体基板を挟んで概略対向する第２の直線上に複数形成されて裏面リード線と接合する裏面リード接合電極を有し、
幅方向において、前記半導体基板を挟んで概略対向する前記受光面リード接合電極の縁部と前記裏面リード接合電極の縁部とが一致しないことを特徴とする太陽電池セル。
【請求項２】
前記受光面リード接合電極の前記裏面リード接合電極に対向する箇所の幅は、前記裏面リード接合電極に対向しない箇所の幅よりも大きく、かつ前記受光面リード線の幅よりも大きい
ことを特徴とする請求項１に記載の太陽電池セル。
【請求項３】
前記受光面リード接合電極の前記裏面リード接合電極に対向する箇所の前記受光面リード接合電極の延在方向の長さは、前記裏面リード接合電極の前記受光面リード接合電極の延在方向の長さよりも大きい
ことを特徴とする請求項１または２のいずれか１項に記載の太陽電池セル。
【手続補正２】
【補正対象書類名】明細書
【補正対象項目名】００１４
【補正方法】変更
【補正の内容】
【００１４】
【図１】図１は、本発明の実施の形態１に係る太陽電池セルの受光面側の平面図である。
【図２】図２は、図１の裏面図である。
【図３】図３は、図１のＡ−Ａ断面図である。
【図４】図４は、受光面リード接合電極に重ねて受光面リード線が接合された様子を示す平面図である。
【図５】図５は、裏面リード接合電極に重ねて裏面リード線が接合された様子を示す裏面図である。
【図６】図６は、複数の太陽電池セルの受光面及び裏面がリード線により接続された様子を示す斜視図である。
【図７】図７は、図１のＢ部分を拡大して示す拡大図である。
【図８】図８は、受光面リード接合電極の欠落した部分に延びるグリッド電極の接続に関して、第２のグリッド電極を設ける例を説明するための図７に対応する拡大図である。
【図９】図９は、本発明の実施の形態２に係る太陽電池セルの受光面側の平面図である。
【図１０】図１０は、図９の裏面図である。
【図１１】図１１は、図９のＣ部分を拡大して示す拡大図である。
【手続補正３】
【補正対象書類名】明細書
【補正対象項目名】００１６
【補正方法】変更
【補正の内容】
【００１６】
実施の形態１．
図１は、本発明の実施の形態１に係る太陽電池セルの受光面側の平面図である。図２は、図１の裏面図である。図３は、図１のＡ−Ａ断面図である。図４は、受光面リード接合電極に重ねて受光面リード線が接合された様子を示す平面図である。図５は、裏面リード接合電極に重ねて裏面リード線が接合された様子を示す裏面図である。図６は、複数の太陽電池セルが受光面リード線及び裏面リード線により接続された様子を示す斜視図である。図７は、図１のＢ部分を拡大して示す拡大図である。
【国際調査報告】
2010125679.tif 000014
2010125679.tif 000015
2010125679.tif 000016
2010125679.tif 000017
2010125679.tif 000018
2010125679.tif 000019
2010125679.tif 000020